(57)【要約】      （修正有）【課題】蓋を隙間なく、且つ、係止片によって確実に係止できる梱包箱を提供する。【解決手段】梱包箱１は、胴部２の一端側の開口の対向する端縁に連接される蓋フラップ３を備える。蓋フラップ３は、内フラップ２１と、開封用破断部５２が形成された外フラップ２２と、を有する。内フラップ２１にはスリット３１が形成され、外フラップ２２の先端縁にはスリット３１に差し込まれる差込片４１が折り曲げ線４２を介して形成されている。差込片４１の一方の側縁には、折り畳むことでスリット３１に挿入可能となる一方でスリット３１に挿入後には折り畳みが解除されてスリット３１からの抜け止めとなる係止片４５が折り畳み線４４を介して連接されている。折り畳み線４４は、折り曲げ線４２に対して鈍角に傾斜するように形成されている。【選択図】図３
2016132490.tif 000002
【特許請求の範囲】
【請求項１】
筒状の胴部と、該胴部の一端側の開口において一方の対向する端縁に連接される蓋フラップと、を備え、
前記蓋フラップは、内側に折り曲げられる内フラップと、内側に折り曲げられて前記内フラップの外側に重ねられると共に開封用破断部が形成された外フラップと、を有し、
前記内フラップにはスリットが形成され、前記外フラップの先端縁には前記スリットに差し込まれる差込片が折り曲げ線を介して形成されており、
前記差込片の一方の側縁には、折り畳むことで前記スリットに挿入可能となる一方で該スリットに挿入後には折り畳みが解除されて前記スリットからの抜け止めとなる係止片が折り畳み線を介して連接され、
前記折り畳み線は、前記折り曲げ線に対して鈍角に傾斜するように形成されていることを特徴とする梱包箱。
【請求項２】
前記係止片は、前記差込片の一方の側縁において、前記折り曲げ線から前記蓋フラップの厚さの２倍以下の間隔を開けて形成されていることを特徴とする請求項１に記載の梱包箱。
【請求項３】
前記胴部と前記蓋フラップとは段ボール材料で形成され、
前記折り畳み線は、段ボール材料の波目の稜線方向に交差する方向に沿って形成されていることを特徴とする請求項１又は２に記載の梱包箱。
【請求項４】
前記外フラップの先端縁に沿う方向における前記折り曲げ線の長さは前記スリットの長さと同一であり、
前記差込片の他方の側縁には、前記外フラップの先端縁に沿う方向において前記折り曲げ線の端部を越えて延出する楔部が形成されていることを特徴とする請求項１〜３のいずれか１項に記載の梱包箱。
【請求項５】
トナーカートリッジが梱包されることを特徴とする請求項１〜４のいずれか１項に記載の梱包箱。
【発明の詳細な説明】
【技術分野】
【０００１】
本発明は、破断線に沿って開封される梱包箱に関する。
【背景技術】
【０００２】
トナーカートリッジ等の消耗品用の梱包箱は、開封済みかどうかを明白に確認できるように、ジッパーなどの破断部に沿って切断することで開封される場合が多い。このような梱包箱は、破断部が設けられた蓋が接着剤等で梱包箱の本体に接着されて、破断部に沿って蓋を切断しない限り開封できないようになっている。また、接着加工代を削減するために、蓋を内フラップと外フラップとで構成し、スリットを内フラップに設け、スリットに差し込まれて係止される差込片を外フラップに設ける場合もある。差込片には、折り畳むことでスリットに差し込み可能となる一方で、差し込まれた後では折り畳みが解除されてスリットからの抜け止めとなる係止片が設けられている。
【０００３】
特許文献１には、このような差込片を設けた梱包箱が開示されている。この梱包箱について図７（Ａ）〜図７（Ｃ）を参照して説明する。図７（Ａ）に示されるように、外フラップ１００の先端縁には折り曲げ線１０１を介して差込片１０２が連接されており、差込片１０２の両側縁にはそれぞれ折り畳み線１０３を介して係止片１０４が連接されている。また、内フラップ１１０には、差込片１０２が差し込まれるスリット１１１が形成されている。外フラップ１００の先端縁と係止片１０４との間には所定の隙間Ｇが設けられており、差込片１０２がスリット１１１に差し込まれた後で係止片１０４がスリット１１１と干渉せずに折り畳み解除されるようになっている。
【先行技術文献】
【特許文献】
【０００４】
【特許文献１】特開２００５−９６８５７号公報
【発明の概要】
【発明が解決しようとする課題】
【０００５】
しかしながら特許文献１に開示されているような梱包箱においては、外フラップ１００の先端縁と係止片１０４との間の隙間Ｇが広いと、係止片１０４がスリット１１１に抜け止めされた後で外フラップ１００が弾性によって開き、図７（Ｂ）に示されるように、外フラップ１００と内フラップ１１０との間に隙間ｇが形成され、開封されていると見間違えられる虞がある。横幅が広い梱包箱では、隙間ｇが特に目立ちやすくなる。
【０００６】
また、係止片１０４は、外フラップ１００の先端縁と直交する方向に沿った折り畳み線１０３で折り畳まれるが、折り方がばらつくと、図７（Ｃ）に示されるように係止片１０４の一部がスリット１１１に引っ掛かかって、差込片１０２が差し込まれた後に係止片１０４が開かなくなり、外フラップ１００を内フラップ１１０に確実に係止できなくなる虞もある。
【０００７】
そこで本発明は上記事情を考慮し、蓋を隙間なく、且つ、係止片によって確実に係止できる梱包箱を提供することを目的とする。
【課題を解決するための手段】
【０００８】
上記目的を達成するため、本発明の梱包箱は、筒状の胴部と、該胴部の一端側の開口において一方の対向する端縁に連接される蓋フラップと、を備え、前記蓋フラップは、内側に折り曲げられる内フラップと、内側に折り曲げられて前記内フラップの外側に重ねられると共に開封用破断部が形成された外フラップと、を有し、前記内フラップにはスリットが形成され、前記外フラップの先端縁には前記スリットに差し込まれる差込片が折り曲げ線を介して形成されており、前記差込片の一方の側縁には、折り畳むことで前記スリットに挿入可能となる一方で該スリットに挿入後には折り畳みが解除されて前記スリットからの抜け止めとなる係止片が折り畳み線を介して連接され、前記折り畳み線は、前記折り曲げ線に対して鈍角に傾斜するように形成されていることを特徴とする。
【０００９】
このような構成を採用することにより、折り畳み線に沿って係止片がスリットから遠ざかる方向に開くので、係止片は内フラップやスリットに干渉せず、折り畳みが確実に解除される。このように係止片の折り畳みが確実に解除されるので、外フラップと係止片との間隔を狭くすることができる。
【００１０】
本発明の梱包箱において、前記係止片は、前記差込片の一方の側縁において、前記折り曲げ線から前記蓋フラップの厚さの２倍以下の間隔を開けて形成されていることを特徴としても良い。
【００１１】
このような構成を採用することにより、差込片を折り曲げ線で折り曲げると、外フラップと係止片との間隔が内フラップの厚さ程度となり、この間隔に内フラップが挟持されるので、内フラップと外フラップとの隙間が狭くなり、外フラップの浮き上がりを防止できる。
【００１２】
本発明の梱包箱において、前記胴部と前記蓋フラップとは段ボール材料で形成され、前記折り畳み線は、段ボール材料の波目の稜線方向に交差する方向に沿って形成されていることを特徴としても良い。
【００１３】
このような構成を採用することにより、係止片が開きやすくなるので係止片による係止を確実にできる。
【００１４】
本発明の梱包箱において、前記外フラップの先端縁に沿う方向における前記折り曲げ線の長さは前記スリットの長さと同一であり、前記差込片の他方の側縁には、前記外フラップの先端縁に沿う方向において前記折り曲げ線の端部を越えて延出する楔部が形成されていることを特徴としても良い。
【００１５】
このような構成を採用することにより、楔部はスリットに圧入された後でスリットの端部に係止されるので、外フラップを確実に係止できる。
【００１６】
本発明の梱包箱は、トナーカートリッジが梱包されることを特徴としても良い。
【発明の効果】
【００１７】
本発明によれば、外フラップを内フラップに隙間なく確実に係止できるので、蓋の浮き上がりを防止できる。
【図面の簡単な説明】
【００１８】
【図１】本発明の一実施形態に係る梱包箱を示す斜視図である。
【図２】本発明の一実施形態に係る梱包箱において、外フラップを内フラップに係止する前の状態を示す斜視図である。
【図３】本発明の一実施形態に係る梱包箱の展開図である。
【図４】本発明の一実施形態に係る梱包箱の差込片とスリットとを説明する図であり、図４（Ａ）は差込片の平面図、図４（Ｂ）は差込片とスリットとの位置関係を示す正面図である。
【図５】本発明の一実施形態に係る梱包箱において、差込片がスリットに差し込まれた状態を内側から見た斜視図である。
【図６】本発明の一実施形態に係る梱包箱において、差込片がスリットに差し込まれた状態を示す正面図である。
【図７】従来の梱包箱を示す図であり、図７（Ａ）は差込片の平面図、図７（Ｂ）は差込片がスリットに差し込まれた状態を示す正面図、図７（Ｃ）は係止片がスリットと干渉している状態を示す正面図である。
【発明を実施するための形態】
【００１９】
以下、図面を参照しつつ本発明の一実施形態に係る梱包箱について説明する。
【００２０】
図１〜図４を参照して、トナーカートリッジが梱包される梱包箱について説明する。図１は梱包箱の斜視図、図２は蓋を係止する前の梱包箱の斜視図、図３は梱包箱の展開図、図４（Ａ）は差込片を示す平面図、図４（Ｂ）は差込片とスリットとの位置関係を示す図である。以下の説明において、前後方向及び左右方向は図１及び図２に示される方向を示す。
【００２１】
梱包箱１は、図１、図２に示されるように、四角筒状の胴部２と、胴部２の上端縁に連接される蓋フラップ３と、胴部２の下端縁に連接される底フラップ４と、を備え、図３に示されるように一枚のシート材料を組み立てることで形成される。シート材料は、例えば高強度の段ボール材料を使用することができる。段ボール材料は、中芯の波目の稜線方向が、梱包箱１の上下方向と一致するように方向が決められている。
【００２２】
胴部２は、対向する一対の前後側板１１、１２と、対向する一対の左右側板１３、１４と、を有する。図３に示されるように、一対の前後側板と１１、１２と一対の左右側板１３、１４とは折り曲げ線を介して交互に連接されている。後側板１２の側縁には接着片１５が連接されている。各側板１１、１２、１３、１４を各折り曲げ線に沿って内側に直角に折り曲げて、接着片１５を右側板１４に接着することにより、上下の開口を有する四角筒状の胴部２が形成される。
【００２３】
蓋フラップ３は、前後側板１１、１２の上端縁にそれぞれ折り曲げ線２６、２７を介して連接された内フラップ２１及び外フラップ２２と、左右側板１３、１４の上端縁にそれぞれ折り曲げ線２８、２９を介して連接された蓋受けフラップ２３、２４と、を有し、胴部２の上側の開口を封止する。
【００２４】
内フラップ２１には、折り曲げ線２６に沿って所定の間隔を開けて２つのスリット３１が形成されている。各スリット３１の内側には、折り曲げ線２６に沿う方向（左右方向）における幅の狭い幅狭部３２が階段状に形成されている。
【００２５】
また、内フラップ２１には、左右方向における中央付近において、折り曲げ線２６よりもやや内側に、差込孔３４が形成されている。差込孔３４は、左右方向に長い長方形状部と、半円状部と、を有する。さらに、内フラップ２１の先端部には、左右方向に延びる折り曲げ線３６が形成されており、折り曲げ線３６に沿って所定の間隔を開けて切り起こし片３７が形成されている。さらに、内フラップ２１の左端部には、先端縁から折り曲げ線２６に直交する方向に延びる切り込み線３８が形成されている。
【００２６】
外フラップ２２には、先端縁に沿って所定の間隔を開けて差込片４１が形成されている。各差込片４１は、図４（Ａ）、図４（Ｂ）に示されるように、先端縁よりも内側において先端縁と平行に形成された折り曲げ線４２に沿って折り曲げ可能に連接されている。折り曲げ線４２の長さは、内フラップ２１のスリット３１の長さとほぼ同じである。また、折り曲げ線４２に沿って破断線が形成されており、差込片４１は外フラップ２２から破り取り可能となっている。
【００２７】
各差込片４１には、外フラップ２２の先端縁に沿う方向（左右方向）における外側の側縁４３ａに、折り畳み線４４を介して係止片４５が連接されている。係止片４５は、側縁４３ａにおいて、折り曲げ線４２から内フラップ２１の厚さと外フラップ２２の厚さを加えた寸法以下（蓋フラップ３の厚さの２倍以下）の間隔ｄ１を開けて形成されている。例えば、トナーカートリッジ用梱包箱に適した段ボール材料の厚さを３ｍｍとすると、間隔ｄ１は６ｍｍ以下であることが好ましい。なお、間隔ｄ１を、外フラップ２２の先端縁と折り曲げ線４２の延長線との間隔と等しくすることで、係止片４５は外フラップ２２の先端縁との間に隙間なく形成される。また、係止片４５は、先端縁と側縁との角が湾曲するように形成されている。
【００２８】
折り畳み線４４は、折り曲げ線４２に対して鈍角に傾斜するように形成されている。つまり、折り畳み線４４は、段ボール材料の波目の稜線方向に交差するように形成されている。
【００２９】
また、各差込片４１には、左右方向における内側の側縁４３ｂに、折り曲げ線４２の端部を越えて延出する楔部４７が形成されている。楔部４７は、側縁４３ｂにおいて、折り曲げ線４２から外フラップ２２の厚さと内フラップ２１の厚さを加えた寸法よりも０〜１ｍｍ狭い間隔ｄ２を開けて形成されている。段ボール材料の厚さが３ｍｍの場合、間隔ｄ２は５〜６ｍｍであることが好ましい。間隔ｄ２は間隔ｄ１よりも短いので、間隔ｄ２と間隔ｄ１の長さの差の分だけ、楔部４７は外フラップ２２の先端縁よりも内側に形成されている。また、楔部４７は、先端縁と側縁との角が湾曲するように形成されている。
【００３０】
差込片４１を折り曲げ線４２に沿って直角に折り曲げると、図４（Ｂ）に示されるように、外フラップ２２と係止片４５との間隔ｄ３は３ｍｍ以下となり、内フラップ２１の厚さと等しくなる。また、外フラップ２２と楔部４７との間隔ｄ４は０〜１ｍｍとなる。
【００３１】
外フラップ２２の先端部には、図３に示されるように、先端縁に平行な破断線５１が形成されており、破断線５１と先端縁との間にジッパー５２（開封用破断部）が形成されている。ジッパー５２の一端には取っ手５３が形成されている。また、破断線５１の中央には、切り起こし片５４が形成されている。
【００３２】
底フラップ４は、前後側板１１、１２の下端縁にそれぞれ折り曲げ線を介して連接された外フラップ６１、６２と、左右側板１３、１４の下端縁にそれぞれ折り曲げ線を介して連接された内フラップ６３、６４と、を有し、外フラップ６１、６２と内フラップ６３、６４とを組み合わせることによって、胴部２の下側の開口が封止される。
【００３３】
上記構成を有する梱包箱１において、被梱包物が収容された後で梱包箱１を封止するには、各蓋受けフラップ２３、２４を内側に折り込んだ後、内フラップ２１を折り曲げ線２６に沿って内側に折り曲げる。その後、外フラップ２２を折り曲げ線２７に沿って内側に折り曲げ、内フラップ２１の外側に重ねる。この際、各差込片４１を折り曲げ線４２に沿って直角に折り曲げ、折り畳み線４４に沿って係止片４５を差込片４１に重なるように折り畳んだ後、それぞれスリット３１に挿入する。この際、折り畳まれた係止片４５を、スリット３１の幅狭部３２に通す。楔部４７はスリット３１の端部で押しつぶされたりスリット３１内で湾曲したりしながらスリット３１に圧入される。
【００３４】
差込片４１がスリット３１に挿通された後、係止片４５は折り畳みが解除されて差込片４１に対して所定の角度に復帰する。また、楔部４７も、押しつぶされた部分がスリット３１の端部から延出する。このような係止片４５と楔部４７とによって、図５に示されるように、差込片４１がスリット３１に抜け止めされ、外フラップ２２が内フラップ２１に係止される（図１参照）。
【００３５】
梱包箱１を開封する際には、ジッパー５２の取っ手５３を持って破断線５１に沿って破断すると、差込片４１は折り曲げ線４２に沿って破断してジッパー５２から分離し、ジッパー５２が外フラップ２２から破り取られる。これにより、外フラップ２２の残留した部分は折り曲げ線２７に沿って開くことが可能なる。その後、内フラップ２１を外側に開くことで梱包箱１が開封される。
【００３６】
なお、梱包箱１を再封緘する際には、外フラップ２２の破断線５１の中央に形成された切り起こし片５４を、内フラップ２１の差込孔３４に挿入する。
【００３７】
上記説明したように本発明の梱包箱１においては、差込片４１を折り曲げ線４２に沿って折り曲げると、外フラップ２２と係止片４５との間には内フラップ２１の厚さ程度の隙間が開き（図４（Ｂ）参照）、この隙間に内フラップ２１が挟持される。つまり、図６に示されるように、外フラップ２２と内フラップ２１との隙間ｇの間隔はごく狭い、あるいは、隙間ｇが開かないので、外フラップ２２の浮き上がりを防止でき、開封されていると見間違えられるような虞がない。
【００３８】
ただし、このように係止片４５と外フラップ２２との間の隙間を狭くすると、係止片４５がスリット３１の側面や内フラップ２１の下面と干渉して開きにくくなる虞があるが、本発明においては、係止片４５の折り畳み線４４を傾斜させているので、折り畳まれた係止片４５はスリット３１と干渉することがなく確実に開くことができる。つまり、図６に示されるように、折り畳み線４４が折り曲げ線４２に対して鈍角に傾斜しているので、係止片４５は折り曲げ線４２から離れる方向、すなわち、スリット３１から遠ざかる方向に折り畳まれる。したがって、折り畳み方や寸法のばらつきがあっても、折り畳みが解除される際に、スリット３１の側面や内フラップ２１の下面に係止片４５が接触しない。したがって、折り畳み解除された係止片４５によって外フラップ２２を内フラップ２１に確実に係止することができる。
【００３９】
また、折り畳み線４４は段ボール材料の波目の稜線方向と交差するように形成されているので、係止片４５を波目に抵抗するように折り畳むこととなり、折り畳み難くなっているが、折り畳み線４４に沿って一部に切断線も形成されているのでしっかりと折り畳むことができる。ただし、切断線を形成しても、折り畳みが解除されると係止片４５は波目の稜線方向に戻りやすいので、折り畳みは確実に解除される。
【００４０】
さらに、差込片４１に楔部４７を形成したことにより、差込片４１の根元の部分においいて、外フラップ２２と楔部４７との間に内フラップ２１をしっかりと挟持することができる。特に、楔部４７と折り曲げ線４２との間隔を短くしたことにより、挟持力を高めることができ、外フラップ２２の浮き上がりを防止しつつ、内フラップ２１と外フラップ２２との係止力を高めることができる。
【００４１】
なお、本発明の梱包箱１は、トナーカートリッジ以外の消耗品や食料品等の梱包に使用することができる。
【００４２】
さらに、上記した本発明の実施形態の説明は、本発明に係る梱包箱における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００４３】
１  梱包箱
２  胴部
３  蓋フラップ
２１  内フラップ
２２  外フラップ
３１  スリット
４１  差込片
４２  折り曲げ線
４４  折り畳み線
４５  係止片
４７  楔部
５２  ジッパー（開封用破断部）
【図１】
2016132490.tif 000003
【図２】
2016132490.tif 000004
【図３】
2016132490.tif 000005
【図４】
2016132490.tif 000006
【図５】
2016132490.tif 000007
【図６】
2016132490.tif 000008
【図７】
2016132490.tif 000009